(57)【要約】【課題】任意の形状や色彩模様を施したガラス容器の底部に鉱物または装飾品を収納して、各種の機能を付加できると共に、視覚的にも楽しむことができるガラス容器を提供するものである。【解決手段】底部が厚肉に形成されてこの厚肉部２にピンブローで中空球状部３を形成すると共に、この中空球状部３とグラス１の底部４との間を連通する挿入孔５を形成して、全体としてきのこ状空洞部６が形成され、このきのこ状空洞部６の上部の中空球状部３の内側に、鉱物であるトルマリン粒７が収納されていると共に挿入孔５を樹脂製の封止栓８で塞いだガラス製のグラスである。【選択図】  図１
0003164613.tif 000002
【実用新案登録請求の範囲】
【請求項１】
ガラス容器の底部を厚肉に形成し、この厚肉部にピンブローで中空球状部を形成すると共に、この中空球状部とガラス容器の底部との間を連通する挿入孔を形成してきのこ状空洞部とし、前記中空球状部の内側に鉱物または装飾品を収納すると共に、挿入孔を樹脂製の封止栓で塞いだことを特徴とするガラス容器。
【請求項２】
中空球状部の内側に収納した鉱物がトルマリンであることを特徴とする請求項１記載のガラス容器。
【請求項３】
ガラス容器が、グラス、ジョッキ、おちょこ、徳利、皿、水差し、花瓶、または金魚鉢であることを特徴とする請求項１記載のガラス容器。
【考案の詳細な説明】
【技術分野】
【０００１】
本考案は、ピンブローにより中空球状部を形成したガラス容器に関するものである。
【背景技術】
【０００２】
一般にグラスやジョッキ、花瓶などのガラス容器が使用されている。これらのガラス容器は、各種のデザインが施されている。一方、ガラスの製造技術でピンブローという方法がある。これは先端に濡らした新聞紙を巻き付けた針の先を高温度に加熱したガラスに刺すことにより、水蒸気となって膨張してガラス内部に気泡を形成する方法である。この方法で、ガラスの容器や工芸品、文鎮などに気泡を形成したものがある。
【０００３】
またガラスの原材料に、珪砂、ソーダ灰、石灰、クリストバラストを混合したものを溶融して皿や水差しコップなどを成形して、クリストバラストによる脱臭、殺菌、抗菌、防錆効果が得られるガラス製品も提案されている（特許文献１）。しかしながら、これは原材料自体に脱臭、殺菌、抗菌、防錆効果が得られるクリストバラストを混合するもので、任意の形状や色彩模様を施したガラス製品に後から各種の機能を付加することができない問題がある。
【先行技術文献】
【特許文献】
【０００４】
【特許文献１】登録実用新案第３０４１５７５号公報
【考案の概要】
【考案が解決しようとする課題】
【０００５】
本考案は上記問題を改善し、任意の形状や色彩模様を施したガラス容器の底部に鉱物または装飾品を収納して、各種の機能を付加できると共に、視覚的にも楽しむことができるガラス容器を提供するものである。
【課題を解決するための手段】
【０００６】
本考案の請求項１記載のガラス容器は、ガラス容器の底部を厚肉に形成し、この厚肉部にピンブローで中空球状部を形成すると共に、この中空球状部とガラス容器の底部との間を連通する挿入孔を形成してきのこ状空洞部とし、前記中空球状部の内側に鉱物または装飾品を収納すると共に、挿入孔を樹脂製の封止栓で塞いだことを特徴とするものである。
【０００７】
本考案の請求項２記載のガラス容器は、請求項１において、中空球状部の内側に収納した鉱物がトルマリンであることを特徴とするものである。
【０００８】
本考案の請求項３記載のガラス容器は、請求項１において、グラス、ジョッキ、おちょこ、徳利、皿、水差し、花瓶、または金魚鉢であることを特徴とするものである。
【考案の効果】
【０００９】
本考案に係る請求項１記載のガラス容器によれば、任意の形状や色彩模様を施したガラス容器の底部の厚肉部にピンブローで中空球状部を形成して、ここに鉱物または装飾品を封入したので、各種の機能を付加できると共に、視覚的にも楽しむことができる。
【００１０】
また請求項２記載のガラス容器によれば、中空球状部の内側に収納した鉱物としてトルマリンを封入したものは、トルマリンから発生しているマイナスイオンの作用により、水やお茶、お酒などを入れた場合には、味がまろやかになり、また花瓶として花を生けた場合には、長期間に亘って鮮度を保持することができる。
【００１１】
また請求項３記載のガラス容器によれば、食器の他、花瓶や金魚鉢などに広く適用することができる。
【考案を実施するための最良の形態】
【００１２】
以下本考案の実施の一形態を図１および図２を参照して詳細に説明する。図において１はガラス製のグラスで、この底部が厚肉に形成されてこの厚肉部２にピンブローで中空球状部３を形成すると共に、この中空球状部３とグラス１の底部４との間を連通する挿入孔５を形成して、全体としてきのこ状空洞部６が形成されている。このきのこ状空洞部６の上部の中空球状部３の内側に、鉱物であるトルマリン粒７が収納されている。更に挿入孔５を樹脂製の封止栓８で塞いだものである。
【００１３】
上記構造のガラス製グラスを製造する方法について説明する。図２（Ａ）に示すようにガラスの宙吹き工程（約１０００℃に加熱した工程）で、底部側に厚肉部２を形成する。次に加熱した厚肉部２の底部４から針１０を刺すと、図２（Ｂ）に示すように厚肉部２に針孔１１が形成される。この後、図２（Ｃ）に示すように先端に水で濡らした新聞紙１２を巻き付けた針１０を、針孔１１に差し込むと図２（Ｄ）に示すように、水分が蒸発して、その水蒸気の圧力により針孔１１が広がって挿入孔５が形成されながら、その先端に中空球状部３が形成され、全体としてきのこ状空洞部６が形成される。
【００１４】
グラス１が冷えてから、図２（Ｅ）に示すように、きのこ状空洞部６の挿入孔５からトルマリン粒７を中空球状部３に投入してから、図２（Ｆ）に示すように、挿入孔５に例えばＵＶ硬化形の樹脂接着剤１３を注入する。この樹脂接着剤１３が硬化すると図１に示すように封止栓８となる。
【００１５】
このように、ガラス製グラス１の底部の中空球状部３にトルマリン粒７が封入されているので、トルマリン粒７から発生しているマイナスイオンの作用により、ガラス製グラス１内に注いだ液体に種々の作用を及ぼすことができる。例えば、水やお酒などを入れた場合には、味がまろやかになり、また花瓶として花を生けた場合には、長期間に亘って鮮度を保持することができる。またトルマリン粒７を外側から見ることができるので、その効果を視覚的にも実感することができる。
【００１６】
図３は本考案の他の実施の形態を示すもので、おちょこ１５の台部分を厚肉部２とし、ここにピンブローで中空球状部３を形成すると共に、この中空球状部３とグラス１の底部４との間を連通する挿入孔５を形成したきのこ状空洞部６の中空球状部３の内側に、トルマリン粒７を収納し、挿入孔５を樹脂製の封止栓８で塞いだものである。
【００１７】
図４は本考案の他の実施の形態を示すもので、徳利１６の底部を厚肉部２とし、ここにピンブローで中空球状部３を内側に突出させると共に、この中空球状部３とグラス１の底部４との間を連通する挿入孔５を形成したきのこ状空洞部６の中空球状部３の内側に、トルマリン粒７を収納し、挿入孔５を樹脂製の封止栓８で塞いだものである。
【００１８】
なお上記説明では、中空球状部３に鉱物としてトルマリン粒７を封入した場合について示したが、水晶、ルビー、アメジスト、サファイヤなどの宝石を封入したものは美観も優れている。また金や銀、チタンなどの金属を封入しても良い。また鉱物に限らず、造花やドライフラワー、人形、鈴など装飾品を封入しても良い。また上記説明ではガラス容器としてグラス１とおちょこ１５、徳利１６に適用した場合について示したが、ジョッキ、皿、水差し、花瓶、金魚鉢などにも広く応用することができる。また封止栓８はＵＶ硬化形の樹脂接着剤１３を注入して硬化させたが、他の樹脂接着剤でも良い。
【実施例】
【００１９】
（実施例１）図１に示す中空球状部３にトルマリン粒７を封入したガラス製グラス１に水を入れてラップし、８℃の冷蔵庫に４８時間保管した。また比較のために通常のガラス製グラスにも水を入れて同様に冷蔵庫で保管した。その結果、トルマリン粒７を封入したグラス１の水は、通常のグラスに入れておいた水よりも味がまろやかになった。
【００２０】
（実施例２）図１に示す中空球状部３にトルマリン粒７を封入したガラス製グラス１に水を入れてラップし、２７℃の室温に１４時間放置した。また比較のために通常のガラス製グラスにも水を入れて同様に放置した。その結果、トルマリン粒７を封入したグラス１の水は、通常のグラスに入れておいた水よりも味がまろやかになった。
【００２１】
（実施例３）図１に示す中空球状部３にトルマリン粒７を封入したガラス製グラス１に緑茶を入れてラップし、８℃の冷蔵庫に１５時間保管した。また比較のためにペットボトル入りの緑茶を同様に冷蔵庫で保管した。その結果、トルマリン粒７を封入したグラス１の緑茶は、ペットボトルに入れておいた緑茶よりも味がまろやかになった。
【００２２】
（実施例４）図１に示す中空球状部３にトルマリン粒７を封入したガラス製グラス１にコーヒーを入れてラップし、８℃の冷蔵庫に２０時間保管した。また比較のために通常のガラス製グラスにもコーヒーを入れて同様に冷蔵庫で保管した。その結果、トルマリン粒７を封入したグラス１のコーヒーは、通常のグラスに入れておいたコーヒーよりも風味がまろやかで美味しくなっていた。
【００２３】
（実施例５）図３に示す中空球状部３にトルマリン粒７を封入したガラス製のおちょこ１５に焼酎を入れてラップし、８℃の冷蔵庫に１６時間３０分保管した。また比較のために通常のガラス製おちょこ１５に焼酎を入れてラップして同様に冷蔵庫で保管した。その結果、トルマリン粒７を封入したグラス１の焼酎は、通常のグラスに入れておいた焼酎よりも味が滑らかになった。
【００２４】
（実施例６）図３に示す中空球状部３にトルマリン粒７を封入したガラス製のおちょこ１５に焼酎を入れてラップし、２２℃の室温に２３時間３０分保管した。また比較のために通常のガラス製おちょこ１５に焼酎を入れてラップして室温に放置した。その結果、トルマリン粒７を封入したグラス１の焼酎は、通常のグラスに入れておいた焼酎よりも味が滑らかでのどへの刺激が少なかった。
【００２５】
（実施例７）図１に示す中空球状部３にトルマリン粒７を封入したガラス製グラス１にワインを入れてラップし、８℃の冷蔵庫に２６時間保管した。また比較のために通常のガラス製グラスにもワインを入れて同様に冷蔵庫で保管した。その結果、トルマリン粒７を封入したグラス１のワインは、通常のグラスに入れておいたワインよりも渋みが抜けて甘みが増した。
【００２６】
（実施例８）図１に示す中空球状部３にトルマリン粒７を封入したガラス製グラス１に水を入れてマーガレットの花を生けて室温に放置した。また比較のために通常のガラス製グラスにも水を入れてマーガレットの花を生けて室温に放置した。その結果、１日目と２日目は共に変わりがなかった。３日目と４日目はトルマリン粒７を封入したグラス１に生けたマーガレットに変化はなく生き生きとしていた。これに対して、通常のグラスに生けた花は、３日目に花びらに元気がなくなり、４日目には垂れ下がってきた。５日目にはトルマリン粒７を封入したグラス１に生けたマーガレットはやや元気がなくなってきたが、通常のグラスに生けた花は完全に枯れてしまった。この他にも、アストロメリアやヒメジオンについても実験を行なったが同様の結果が得られた。
【図面の簡単な説明】
【００２７】
【図１】本考案の実施の一形態による中空球状部にトルマリン粒を封入したガラス製グラスの断面図である。
【図２】図１のガラス製グラスをピンブローで制作している状態を順次示す断面図である。
【図３】本考案の他の実施の形態による中空球状部にトルマリン粒を封入したガラス製おちょこの断面図である。
【図４】本考案の他の実施の形態による中空球状部にトルマリン粒を封入したガラス製徳利の断面図である。
【符号の説明】
【００２８】
１    ガラス製グラス                                        
２    厚肉部                                                
３    中空球状部                                            
４    底部                                                  
５    挿入孔                                                
６    きのこ状空洞部                                        
７    トルマリン粒                                          
８    封止栓                                                
１０  針                                                    
１１  針孔                                                  
１２  新聞紙                                                
１３  接着剤                                                
１５  おちょこ                                              
１６  徳利                                            
【図１】
0003164613.tif 000003
【図２】
0003164613.tif 000004
【図３】
0003164613.tif 000005
【図４】
0003164613.tif 000006